(57)【要約】  本発明は、RRU間のトランシーバチャネル共同補正を実行するために使用される、補正信号を取得するために補正信号を決定する方法および装置を提供する。本発明の方法は、ベースバンドユニットBBUによって第1の無線遠隔ユニットRRUから第1の受信電力を取得するステップであって、第1の受信電力は、第1のRRUが第2のRRUによって送信された第1の信号を受信する電力である、ステップと、第1の受信電力を電力閾値と比較した結果が予め設定された条件を満たさない場合、BBUによって、第1の信号を調整して第2の信号を取得し、第2の信号にしたがって第2の受信電力を決定するステップであって、第2の受信電力は、第1のRRUが第2の信号を受信する電力であり、第2の受信電力を電力閾値と比較した結果が予め設定された条件を満たす、ステップと、BBUによって第2の信号を補正信号として使用するステップであって、補正信号が第1のRRUと第2のRRUとの間のトランシーバチャネル共同補正を実行するために使用される、ステップとを含む。
2018530254.tif 000002
【特許請求の範囲】
【請求項１】
補正信号を決定する方法であって、
ベースバンドユニット（BBU）によって第1の無線遠隔ユニット（RRU）から第1の受信電力を取得するステップであって、前記第1の受信電力は、前記第1のRRUが第2のRRUによって送信された第1の信号を受信する電力である、ステップと、
前記第1の受信電力を電力閾値と比較した結果が予め設定された条件を満たさない場合、前記BBUによって、前記第1の信号を調整して第2の信号を取得し、前記第2の信号にしたがって第2の受信電力を決定するステップであって、前記第2の受信電力は、前記第1のRRUが前記第2の信号を受信する電力であり、前記第2の受信電力を前記電力閾値と比較した結果が前記予め設定された条件を満たす、ステップと、
前記BBUによって前記第2の信号を補正信号として使用するステップであって、前記補正信号が前記第1のRRUと前記第2のRRUとの間のトランシーバチャネル共同補正を実行するために使用される、ステップと、
を含む方法。
【請求項２】
前記第1の受信電力を電力閾値と比較した結果が予め設定された条件を満たさない場合、前記BBUによって、前記第1の信号を調整して第2の信号を取得することは、
前記第1の受信電力が第1の電力閾値以上である場合、前記BBUによって、周波数領域において前記第1の信号S（k）に
【数１】
2018530254.tif 000041
を掛けて前記第2の信号を取得するステップであって、前記第2の信号に対応する第2の受信電力が前記第1の電力閾値より小さく、kが前記第1の信号の周波数領域サブキャリアのシーケンス番号を示す、ステップ、または、前記第1の受信電力が第1の電力閾値以上である場合、前記BBUによって、時間領域において前記第1の信号S（n）に
【数２】
2018530254.tif 000042
を掛けて前記第2の信号を取得するステップであって、前記第2の信号に対応する第2の受信電力が前記第1の電力閾値より小さく、nが前記第1の信号の時間領域サンプリング点のシーケンス番号を示す、ステップ
を含み、
Deltaはデジタルの電力制御係数を示し、DeltaはDelta＝f（y−x）＋Aを満たし、f（）は天井関数を示し、yは前記第1の受信電力を示し、xは前記第1の電力閾値を示し、Aは定数である、請求項1に記載の方法。
【請求項３】
前記第1の受信電力を電力閾値と比較した結果が予め設定された条件を満たさない場合、前記BBUによって、前記第1の信号を調整して第2の信号を取得することは、
前記第1の受信電力が第1の電力閾値以上である場合、前記BBUによって、前記第1の信号を時間領域または周波数領域において右にシフトさせて前記第2の信号を取得するステップであって、前記第2の信号に対応する第2の受信電力が前記第1の電力閾値より小さく、前記第1の信号が1ビット右にシフトされるたびに、前記第2の受信電力が前記第1の受信電力に対して6dBだけ減少する、ステップ
を含む、請求項1に記載の方法。
【請求項４】
前記第1の電力閾値が前記第1のRRUの入口アンテナ電力にしたがって設定される、請求項2または3に記載の方法。
【請求項５】
前記第1の受信電力を電力閾値と比較した結果が前記条件を満たさない場合、前記BBUによって、前記第1の信号を調整して第2の信号を取得することは、
前記第1の受信電力が第2の電力閾値以下である場合、前記BBUによって、前記第1の信号のサブキャリアを離隔させて前記第2の信号を取得するステップであって、前記第2の信号に対応する第2の受信電力は第3の電力閾値より大きく、前記第2の受信電力は、前記第1のRRUが前記第2の信号のサブキャリアを受信する電力である、ステップ
を含む、請求項1に記載の方法。
【請求項６】
前記第1の受信電力を電力閾値と比較した結果が予め設定された条件を満たさない場合、前記BBUによって、前記第1の信号を調整して第2の信号を取得することは、
前記第1の受信電力が第2の電力閾値以下である場合、前記BBUによって、前記第1の信号を時間領域または周波数領域において左にシフトさせて前記第2の信号を取得するステップであって、前記第2の信号に対応する第2の受信電力が前記第2の電力閾値より大きく、前記第1の信号が1ビット左にシフトされるたびに、前記第2の受信電力が前記第1の受信電力に対して6dBだけ増加する、ステップ
を含む、請求項1に記載の方法。
【請求項７】
前記第2の電力閾値が信号およびノイズ電力にしたがって設定される、請求項6に記載の方法。
【請求項８】
補正信号を決定する装置であって、
第1の受信電力を取得するように構成されたトランシーバユニットであって、前記第1の受信電力は、第1の無線遠隔ユニット（RRU）が第2のRRUによって送信された第1の信号を受信する電力である、トランシーバユニットと、
前記トランシーバユニットによって決定された第1の受信電力を電力閾値と比較した結果が予め設定された条件を満たさない場合、前記第1の信号を調整して第2の信号を取得し、前記第2の信号にしたがって第2の受信電力を決定するように構成された処理ユニットであって、前記第2の受信電力は、前記第1のRRUが前記第2の信号を受信する電力であり、前記第2の受信電力を前記電力閾値と比較した結果が前記予め設定された条件を満たし、前記処理ユニットが、前記第2の信号を補正信号として使用するように構成され、前記補正信号が前記第1のRRUと前記第2のRRUとの間のトランシーバチャネル共同補正を実行するために使用される、処理ユニットと、
を含む、装置。
【請求項９】
前記第1の受信電力を電力閾値と比較した結果が予め設定された条件を満たさない場合、前記第1の信号を調整して第2の信号を取得するとき、前記処理ユニットは、具体的には、
前記第1の受信電力が第1の電力閾値以上である場合、周波数領域において前記第1の信号S（k）に
【数３】
2018530254.tif 000043
を掛けて前記第2の信号を取得するように構成され、前記第2の信号に対応する第2の受信電力が前記第1の電力閾値より小さく、kが前記第1の信号の周波数領域サブキャリアのシーケンス番号を示し、または、前記第1の受信電力が第1の電力閾値以上である場合、時間領域において前記第1の信号S（n）に
【数４】
2018530254.tif 000044
を掛けて前記第2の信号を取得するように構成され、前記第2の信号に対応する第2の受信電力が前記第1の電力閾値より小さく、nが前記第1の信号の時間領域サンプリング点のシーケンス番号を示し、
Deltaはデジタルの電力制御係数を示し、DeltaはDelta＝f（y−x）＋Aを満たし、f（）は天井関数を示し、yは前記第1の受信電力を示し、xは前記第1の電力閾値を示し、Aは定数である、
請求項8に記載の装置。
【請求項１０】
前記第1の受信電力を電力閾値と比較した結果が予め設定された条件を満たさない場合、前記第1の信号を調整して第2の信号を取得するとき、前記処理ユニットは、具体的には、
前記第1の受信電力が第1の電力閾値以上である場合、前記第1の信号を時間領域または周波数領域において右にシフトさせて前記第2の信号を取得するように構成され、前記第2の信号に対応する第2の受信電力が前記第1の電力閾値より小さく、前記第1の信号が1ビット右にシフトされるたびに、前記第2の受信電力が前記第1の受信電力に対して6dBだけ減少する、請求項8に記載の装置。
【請求項１１】
前記第1の電力閾値が前記第1のRRUの入口アンテナ電力にしたがって設定される、請求項9または10に記載の装置。
【請求項１２】
前記第1の受信電力を電力閾値と比較した結果が前記条件を満たさない場合、前記第1の信号を調整して第2の信号を取得するとき、前記処理ユニットは、具体的には、
前記第1の受信電力が第2の電力閾値以下である場合、前記第1の信号のサブキャリアを離隔させて前記第2の信号を取得するように構成され、前記第2の信号に対応する第2の受信電力は第3の電力閾値より大きく、前記第2の受信電力は、前記第1のRRUが前記第2の信号のサブキャリアを受信する電力である、請求項8に記載の装置。
【請求項１３】
前記第1の受信電力を電力閾値と比較した結果が予め設定された条件を満たさない場合、前記第1の信号を調整して第2の信号を取得するとき、前記処理ユニットは、具体的には、
前記第1の受信電力が第2の電力閾値以下である場合、前記第1の信号を時間領域または周波数領域において左にシフトさせて前記第2の信号を取得するように構成され、前記第2の信号に対応する第2の受信電力が前記第2の電力閾値より大きく、前記第1の信号が1ビット左にシフトされるたびに、前記第2の受信電力が前記第1の受信電力に対して6dBだけ増加する、請求項8に記載の装置。
【請求項１４】
前記第2の電力閾値が信号およびノイズ電力にしたがって設定される、請求項13に記載の装置。
【発明の詳細な説明】
【技術分野】
【０００１】
この出願は、2015年9月30日に中国特許庁に出願された、発明の名称を「補正信号を決定する方法および装置」とする中国特許出願第201510641645.8号の優先権を主張し、その全体が参照によりここに組み込まれる。
【０００２】
本発明は、通信分野、詳細には、補正信号を決定する方法および装置に関する。
【背景技術】
【０００３】
ビームフォーミング（Beam Forming、BF）技術では、信号送信端で重み付けが実行され、信号受信端でアレイ利得が得られ、それにより、ユーザの信号対干渉雑音比（Signal to Interference plus Noise Ratio、SINR）が増加される。BF技術は、送信信号が一貫した遅延および一貫した位相でアンテナポートに到達することを保証する必要がある。しかし、トランシーバチャネルの中間周波数部分の先入れ先出し（First In First Out、FIFO）メモリにおいてジッタが発生し、無線周波数アナログ成分の応答は一貫性がないので、時間領域チャネル補償または周波数領域チャネル補償が実行されない場合、送信信号が一貫した遅延および一貫した位相でアンテナポートに到達することが保証されることが可能でない。したがって、トランシーバチャネルは、トランシーバチャネル間のチャネル応答差が時間領域および周波数領域において補償されてBFアレイ利得が得られるように、補正される必要がある。
【０００４】
単一の無線遠隔ユニット（Radio Remote Unit、RRU）のトランシーバチャネル補正は従来技術で実現されることが可能であるが、RRU間のトランシーバチャネル共同補正のプロセスには依然として問題がある。RRU間のトランシーバチャネル共同補正のプロセスでは、送信端において過度に大きい電力で信号が送信されるならば、特定の距離減衰がある場合、受信端においてかなり大きな電力で信号が受信される。この場合、アナログ対デジタル変換器（Analog-to-Digital Converter、ADC）の飽和によって引き起こされる信号歪みが回避されるように、自動利得制御（Automatic Gain Control、AGC）により制御を開始する必要がある。しかし、AGCによる制御が開始される場合、チャネル応答が変化し、そしてトランシーバチャネル共同補正プロセスが影響を受ける。したがって、AGCによる制御が開始しない場合のRRU間のトランシーバチャネル共同補正をどのように実現するかは、RRU間のトランシーバチャネル共同補正の実装にきわめて重要である。
【発明の概要】
【課題を解決するための手段】
【０００５】
本発明は、RRU間のトランシーバチャネル共同補正を実行するために使用される補正信号を取得するために、補正信号を決定する方法および装置を提供する。
【０００６】
第1の態様によれば、本発明の実施形態は、
ベースバンドユニットBBUによって第1の受信電力を取得するステップであって、第1の受信電力は、第1の無線遠隔ユニットRRUが第2のRRUによって送信された第1の信号を受信する電力である、ステップと、
第1の受信電力を電力閾値と比較した結果が予め設定された条件を満たさない場合、BBUによって、第1の信号を調整して第2の信号を取得し、第2の信号にしたがって第2の受信電力を決定するステップであって、第2の受信電力は、第1のRRUが第2の信号を受信する電力であり、第2の受信電力を電力閾値と比較した結果が予め設定された条件を満たす、ステップと、
BBUによって第2の信号を補正信号として使用するステップであって、補正信号が第1のRRUと第2のRRUとの間のトランシーバチャネル共同補正を実行するために使用される、ステップと
を含む、補正信号を決定する方法を提供する。
【０００７】
第1の態様を参照して、第1の可能な実装では、第1の受信電力を電力閾値と比較した結果が予め設定された条件を満たさない場合、BBUによって、第1の信号を調整して第2の信号を取得することは、
第1の受信電力が第1の電力閾値以上である場合、BBUによって、周波数領域において第1の信号S（k）に
【０００８】
【数１】
2018530254.tif 000003
【０００９】
を掛けて第2の信号を取得するステップであって、第2の信号に対応する第2の受信電力が第1の電力閾値より小さく、kが第1の信号の周波数領域サブキャリアのシーケンス番号を示す、ステップ、または、第1の受信電力が第1の電力閾値以上である場合、BBUによって、時間領域において第1の信号S（n）に
【００１０】
【数２】
2018530254.tif 000004
【００１１】
を掛けて第2の信号を取得するステップであって、第2の信号に対応する第2の受信電力が第1の電力閾値より小さく、nが第1の信号の時間領域サンプリング点のシーケンス番号を示す、ステップ
を含む。
【００１２】
Deltaはデジタルの電力制御係数を示し、DeltaはDelta＝f（y−x）＋Aを満たし、f（）は天井関数を示し、yは第1の受信電力を示し、xは第1の電力閾値を示し、Aは定数である。
【００１３】
第1の態様を参照して、第2の可能な実装では、第1の受信電力を電力閾値と比較した結果が予め設定された条件を満たさない場合、BBUによって、第1の信号を調整して第2の信号を取得することは、
第1の受信電力が第1の電力閾値以上である場合、BBUによって、第1の信号を時間領域または周波数領域において右にシフトさせて第2の信号を取得するステップであって、第2の信号に対応する第2の受信電力が第1の電力閾値より小さく、第1の信号が1ビット右にシフトされるたびに、第2の受信電力が第1の受信電力に対して6dBだけ減少する、ステップ
を含む。
【００１４】
第1の態様の第1または第2の可能な実装を参照して、第1の態様の第3の可能な実装では、第1の電力閾値は、第1のRRUの入口アンテナ電力にしたがって設定される。
【００１５】
第1の態様を参照して、第4の可能な実装では、第1の受信電力を電力閾値と比較した結果が条件を満たさない場合、BBUによって、第1の信号を調整して第2の信号を取得することは、
第1の受信電力が第2の電力閾値以下である場合、BBUによって、第1の信号のサブキャリアを離隔させて第2の信号を取得するステップであって、第2の信号に対応する第2の受信電力が第3の電力閾値より大きく、第2の受信電力は、第1のRRUが第2の信号のサブキャリアを受信する電力である、ステップ
を含む。
【００１６】
第1の態様を参照して、第5の可能な実装では、第1の受信電力を電力閾値と比較した結果が予め設定された条件を満たさない場合、BBUによって、第1の信号を調整して第2の信号を取得することは、
第1の受信電力が第2の電力閾値以下である場合、BBUによって、第1の信号を時間領域または周波数領域において左にシフトさせて第2の信号を取得するステップであって、第2の信号に対応する第2の受信電力が第2の電力閾値より大きく、第1の信号が1ビット左にシフトされるたびに、第2の受信電力が第1の受信電力に対して6dBだけ増加する、ステップ
を含む。
【００１７】
第1の態様の第5の可能な実装を参照して、第1の態様の第6の可能な実装では、第2の電力閾値は、信号およびノイズ電力にしたがって設定される。
【００１８】
第2の態様によれば、本発明の実施形態は、
第1の受信電力を取得するように構成されたトランシーバユニットであって、第1の受信電力は、第1の無線遠隔ユニットRRUが第2のRRUによって送信された第1の信号を受信する電力である、トランシーバユニットと、
トランシーバユニットによって決定された第1の受信電力を電力閾値と比較した結果が予め設定された条件を満たさない場合、第1の信号を調整して第2の信号を取得し、第2の信号にしたがって第2の受信電力を決定するように構成された処理ユニットであって、第2の受信電力は、第1のRRUが第2の信号を受信する電力であり、第2の受信電力を電力閾値と比較した結果が予め設定された条件を満たし、処理ユニットは、第2の信号を補正信号として使用し、補正信号が第1のRRUと第2のRRUとの間のトランシーバチャネル共同補正を実行するために使用されるように構成された、処理ユニットと
を含む、補正信号を決定する装置を提供する。
【００１９】
第2の態様を参照して、第1の可能な実装では、第1の受信電力を電力閾値と比較した結果が予め設定された条件を満たさない場合、第1の信号を調整して第2の信号を取得するとき、処理ユニットは、具体的には、
第1の受信電力が第1の電力閾値以上である場合、周波数領域において第1の信号S（k）に
【００２０】
【数３】
2018530254.tif 000005
【００２１】
を掛けて第2の信号を取得するように構成され、第2の信号に対応する第2の受信電力が第1の電力閾値より小さく、kが第1の信号の周波数領域サブキャリアのシーケンス番号を示し、または、第1の受信電力が第1の電力閾値以上である場合、時間領域において第1の信号S（n）に
【００２２】
【数４】
2018530254.tif 000006
【００２３】
を掛けて第2の信号を取得するように構成され、第2の信号に対応する第2の受信電力が第1の電力閾値より小さく、nが第1の信号の時間領域サンプリング点のシーケンス番号を示す。
【００２４】
Deltaはデジタルの電力制御係数を示し、DeltaはDelta＝f（y−x）＋Aを満たし、f（）は天井関数を示し、yは第1の受信電力を示し、xは第1の電力閾値を示し、Aは定数である。
【００２５】
第2の態様を参照して、第2の可能な実装では、第1の受信電力を電力閾値と比較した結果が予め設定された条件を満たさない場合、第1の信号を調整して第2の信号を取得するとき、処理ユニットは、具体的には、
第1の受信電力が第1の電力閾値以上である場合、第1の信号を時間領域または周波数領域において右にシフトさせて第2の信号を取得するように構成され、第2の信号に対応する第2の受信電力は第1の電力閾値より小さく、第1の信号が1ビット右にシフトされるたびに、第2の受信電力は第1の受信電力に対して6dBだけ減少する。
【００２６】
第2の態様の第1または第2の可能な実装を参照して、第2の態様の第3の可能な実装では、第1の電力閾値は、第1のRRUの入口アンテナ電力にしたがって設定される。
【００２７】
第2の態様を参照して、第4の可能な実装では、第1の受信電力を電力閾値と比較した結果が条件を満たさない場合、第1の信号を調整して第2の信号を取得するとき、処理ユニットは、具体的には、
第1の受信電力が第2の電力閾値以下である場合、第1の信号のサブキャリアを離隔させて第2の信号を取得するように構成され、第2の信号に対応する第2の受信電力は第3の電力閾値より大きく、第2の受信電力は第1のRRUが第2の信号のサブキャリアを受信する電力である。
【００２８】
第2の態様を参照して、第5の可能な実装では、第1の受信電力を電力閾値と比較した結果が予め設定された条件を満たさない場合、第1の信号を調整して第2の信号を取得するように構成され、処理ユニットは、具体的には、
第1の受信電力が第2の電力閾値以下である場合、第1の信号を時間領域または周波数領域において左にシフトさせて第2の信号を取得するように構成され、第2の信号に対応する第2の受信電力は第2の電力閾値より大きく、第1の信号が1ビット左にシフトされるたびに、第2の受信電力は第1の受信電力に対して6dBだけ増加する。
【００２９】
第2の態様の第5の可能な実施形態を参照して、第2の態様の第6の可能な実装では、第2の電力閾値は、信号およびノイズ電力にしたがって設定される。
【００３０】
本発明の実施形態では、BBUは、第1のRRUから第1の受信電力を取得する。第1の受信電力は、第1のRRUが第2のRRUによって送信された第1の信号を受信する電力である。第1の受信電力を電力閾値と比較した結果が予め設定された条件を満たさない場合、BBUは第1の信号を調整して第2の信号を取得し、第2の信号にしたがって第2の受信電力を決定する。第2の受信電力は、第1のRRUが第2の信号を受信する電力であり、第2の受信電力を電力閾値と比較した結果は、予め設定された条件を満たす。BBUは、第2の信号を補正信号として使用し、補正信号は、第1のRRUと第2のRRUとの間のトランシーバチャネル共同補正を実行するために使用される。BBUによって送信信号を調整して取得される補正信号は予め設定された条件を満たしているので、補正信号が過度に大きいのでAGCによる制御の開始をトリガすることによって引き起こされるチャネル応答の変化が回避されることが可能であり、補正信号を使用してRRU間のトランシーバチャネル共同補正を実現することができる。したがって、本発明の実施形態で提供される技術的解決策では、RRU間のトランシーバチャネル共同補正は、AGCによる制御が開始しない場合でも依然として実現可能である。
【図面の簡単な説明】
【００３１】
【図１】本発明の一実施形態による、2つのRRUのシナリオの概略図である。
【図２】本発明の一実施形態による、補正信号を決定する方法の概略フローチャートである。
【図３】本発明の一実施形態による、RRU間のトランシーバチャネル共同補正の方法の概略フローチャートである。
【図４】本発明の一実施形態による、補正信号を決定する装置の概略構成図である。
【図５】本発明の一実施形態による、補正信号を決定する装置の概略構成図である。
【発明を実施するための形態】
【００３２】
以下は、本発明の実施形態における技術的解決策を、本発明の実施形態における添付図面を参照して、明確かつ十分に記載する。明らかに、記載した実施形態は、本発明の実施形態のほんのいくつかであるが、すべてではない。本発明の実施形態に基づいて、創造的な努力なくこの技術分野の当業者によって得られた他のすべての実施形態は、本発明の保護範囲内にあるものである。
【００３３】
本発明の実施形態は、RRU間のトランシーバチャネル共同補正を実行するために使用される補正信号を取得し、そして、補正信号を使用してRRU間のトランシーバチャネル共同補正を実行するために、補正信号を決定する方法および装置を提供する。この方法および装置は、同じ発明概念に基づいている。この方法の問題解決の原理は装置のそれと同様であるので、装置の実装および方法の実装については互いを参照されたく、詳細は繰り返し記載されない。
【００３４】
本発明の実施形態で提供される技術的解決策は、RRU間のトランシーバチャネル共同補正の技術に関する。RRU間のトランシーバチャネル共同補正の技術では、BFアレイ利得を得るために、RRUのトランシーバチャネル間のチャネル応答差が時間領域および周波数領域において補償されることが可能である。分散型基地局デバイスは、主に、ベースバンドユニット（Base Band Unit、BBU）とRRUとの2つの部分に区分される。BBUおよびRRUの技術的特徴は、基地局は、マスターユニット、すなわち無線ベースバンド制御（Radio Server）および遠隔ユニット、すなわち無線遠隔（RRU）の2つの部分に区分され、1つのBBUは複数のRRUをサポートでき、通常BBUおよびRRUはファイバを使用して相互に接続され、BBUとRRUとの間のインターフェースはオープンである。
【００３５】
図1に示されたBBUおよびRRUの技術シナリオでは、RRU0およびRRU1の各々は、TX0、RX0、TX1およびRX1のトランシーバチャネルを含む。TXは送信機（Transmitter）であり、RXは受信機（Receiver）である。従来技術では、RRU0は、RRU0のトランシーバチャネルの補正を実現でき、RRU1も、RRU1のトランシーバチャネルの補正を実現できる。しかし、RRU0およびRRU1の両方は、独立の補正基準チャネルを有し、2つの補正基準チャネルのチャネル応答は等しくない。したがって、RRU0の4つのトランシーバチャネルとRRU1の4つのトランシーバチャネルとの間の無線インターフェース上で、遅延の一貫性および位相の一貫性が達成されることは可能でなく、そしてRRU0とRRU1との間のトランシーバチャネル共同補正は実現されることが可能でない。本発明の実施形態で提供される技術的解決策によれば、補正信号が取得されることが可能であり、そして取得された補正信号を使用してRRU間のトランシーバチャネル共同補正が実行されることが可能である。
【００３６】
実施形態1
図2に示されたように、本発明のこの実施形態は、補正信号を決定する方法を提供し、この方法は以下のステップを含む。
【００３７】
S201．BBUは第1のRRUから第1の受信電力を取得し、第1の受信電力は、第1のRRUが第2のRRUによって送信された第1の信号を受信する電力である。
【００３８】
S202．第1の受信電力を電力閾値と比較した結果が予め設定された条件を満たさない場合、BBUは第1の信号を調整して第2の信号を取得し、第2の信号にしたがって第2の受信電力を決定し、第2の受信電力は、第1のRRUが第2の信号を受信する電力であり、第2の受信電力を電力閾値と比較した結果は、予め設定された条件を満たす。
【００３９】
S203．BBUは第2の信号を補正信号として使用し、補正信号は、第1のRRUと第2のRRUとの間のトランシーバチャネル共同補正を実行するために使用される。
【００４０】
この実施形態では、第1のRRUと第2のRRUとの間のトランシーバチャネル共同補正が実行される方法は、主に以下を含む。BBUは、第1のRRUのチャネル推定hc 1と、第2のRRUのチャネル推定hc 2とを別々に決定し、相互補正係数rc＝hc 1／hc 2を取得し、相互補正係数rcを使用して第1のRRUの送信補正係数または受信補正係数を更新し、それにより第1のRRUと第2のRRUとの間のトランシーバチャネル共同補正を実現する。
【００４１】
BBUが第1のRRUのチャネル推定hc 1を決定する方法は、以下を含む。
【００４２】
BBUは、第1のRRUの基準チャネルが信号受信状態にあり、第2のRRUが第1のRRUに信号（図2の第1の信号に対応する信号）を送信するように制御し、図2に示された方法を使用して第2のRRUに対応する補正信号を取得し、第1のRRUのチャネル推定hc 1を決定する。hc 1は、第2のRRUによって送信された補正信号を第1のRRUが基準チャネルを使用して受信する場合に取得されるチャネル推定である。
【００４３】
BBUが第2のRRUのチャネル推定hc 2を決定する方法は、BBUが第1のRRUのチャネル推定hc 1を決定する方法と同じであり、BBUが第1のRRUのチャネル推定hc 1を決定する方法において第1のRRUと第2のRRUとが入れ替わっていることが異なり、この方法は具体的には以下を含む。
【００４４】
BBUは、第2のRRUの基準チャネルが信号受信状態にあり、第1のRRUが第2のRRUに信号（図2の第1の信号に対応する信号）を送信するように制御する。第1のRRUによって送信される信号は、第2のRRUによって送信される信号と同じであってもよく、または異なってもよい。BBUは、図2に示された方法を使用して第1のRRUに対応する補正信号を取得し、そして第2のRRUのチャネル推定hc 2を決定する。hc 2は、第1のRRUによって送信された補正信号を第2のRRUが基準チャネルを使用して受信する場合に取得されるチャネル推定である。
【００４５】
この実施形態では、異なる予め設定された条件にしたがって、S202において、第1の受信電力を電力閾値と比較した結果が予め設定された条件を満たさない場合、BBUは、以下の方法で第1の信号を調整して第2の信号を取得し得る。
【００４６】
1．第1の受信電力が第1の電力閾値以上である場合、それは第1の受信電力が過度に大きいことを示し、AGCによる制御が開始しやすく、BBUは、調整によって取得される第2の受信電力が第1の電力閾値よりも小さくなるように、第1の信号を調整して第1の受信電力に対する調整を実現する必要がある。第1の電力閾値は、第1のRRUの入口アンテナ電力にしたがって設定されてもよく、受信電力が第1の電力閾値以上である場合、AGCによる制御が開始する。BBUは、以下の方法で第1の信号を調整して第2の信号を取得し得る。
【００４７】
方法1：BBUは、周波数領域で第1の信号S（k）に
【００４８】
【数５】
2018530254.tif 000007
【００４９】
を掛けて第2の信号を取得し、第2の信号に対応する第2の受信電力は第1の電力閾値よりも小さく、kは第1の信号の周波数領域サブキャリアのシーケンス番号を示し、Deltaはデジタルの電力制御係数を示し、DeltaはDelta＝f（y−x）＋Aを満たし、f（）は天井関数を示し、yは第1の受信電力を示し、xは第1の電力閾値を示し、Aは定数である。
【００５０】
Aは弾性的に設定され得る。第1の受信電力が比較的大きい場合、AGCによる制御が開始するようにトリガされ、それによりADCの飽和によって引き起こされる信号歪みが回避される。しかし、AGCによる制御が開始する場合、チャネル応答が変化する。この実施形態では、Aの値は、AGCによる制御が開始するようにトリガされることを防止するように設定される。
【００５１】
例えば、第1の信号に対応する第1の電力閾値が−30dBmであり、第1の受信電力が−20dBmであり、Aの値が6dBであり、Delta＝f（y−x）＋A＝16dBであると仮定すると、
【００５２】
【数６】
2018530254.tif 000008
【００５３】
である。第1の受信電力−20dBmが第1の電力閾値−30dBmよりも大きいので、第1の信号S（k）に
【００５４】
【数７】
2018530254.tif 000009
【００５５】
を掛けるならば、対応する第1の受信電力は0.1585＾2であり、10＊log10（0.1585＾2）＝16dB、すなわち、第1の信号S（k）に
【００５６】
【数８】
2018530254.tif 000010
【００５７】
を掛けるならば、第1の受信電力は16dB減衰する。16dB減衰した後、第1の受信電力は−20dBm−16＝−36dBmであり、第1の電力閾値−30dBmより小さい。したがって、第2の信号は、第1の信号S（k）に
【００５８】
【数９】
2018530254.tif 000011
【００５９】
を掛けて取得された値であり、第2の受信電力は、第1の受信電力が16dB減衰した後に取得された−36dBmである。この場合、BBUは、第2の信号を補正信号として使用する。
【００６０】
方法2：BBUは、時間領域で第1の信号S（n）に
【００６１】
【数１０】
2018530254.tif 000012
【００６２】
を掛けて第2の信号を取得し、第2の信号に対応する第2の受信電力は第1の電力閾値よりも小さく、nは第1の信号の時間領域サンプリング点のシーケンス番号を示し、Deltaはデジタルの電力制御係数を示し、DeltaはDelta＝f（y−x）＋Aを満たし、f（）は天井関数を示し、yは第1の受信電力を示し、xは第1の電力閾値を示し、Aは定数であり、Aの値は、AGCによる制御が開始するようにトリガされることを防止するための条件にしたがって設定され得る。
【００６３】
方法3：第1の信号は、第1の受信電力が調整されるように、時間領域または周波数領域でシフトされる。具体的には、BBUは、第1の信号を時間領域または周波数領域で右にシフトして第2の信号を取得する。第2の信号に対応する第2の受信電力は第1の電力閾値よりも小さく、第1の信号が1ビット右にシフトされるたびに、第2の受信電力は第1の受信電力に対して6dBだけ減少する。時間領域シフトは、周波数領域シフトに対して位相精度をよりよく保証することができる。
【００６４】
例えば、第1の信号が1ビット右にシフトされるたびに、第2の受信電力は第1の受信電力に対して6dBだけ減少する。同様に、第1の信号が2ビット右にシフトされるたびに、第2の受信電力は第1の受信電力に対して12dBだけ減少し、以下同様である。第1の電力閾値が−30dBmであり、第1の受信電力が−20dBmであると仮定すると、第1の受信電力と第1の電力閾値との間の差は10dBmに等しい。差は6dBmの整数倍に切り上げられ、すなわち、差は12dBmに調整される必要がある。したがって、第2の受信電力は、第1の受信電力に対して12dBmだけ減少する必要があり、すなわち、第1の信号は、時間領域または周波数領域において2ビット右にシフトされる。
【００６５】
2．第1の受信電力が第2の電力閾値以下である場合、それは第1の受信電力が過度に小さいことを示し、BBUは、調整によって取得される第2の受信電力が第2の電力閾値よりも大きくなるように、第1の信号を調整して第1の受信電力に対する調整を実現する必要がある。第2の電力閾値は、信号およびノイズ電力にしたがって設定され得る。BBUは、以下の方法で第1の信号を調整して第2の信号を取得する。
【００６６】
BBUは、第1の信号を時間領域または周波数領域で左にシフトして第2の信号を取得する。第2の信号に対応する第2の受信電力は第2の電力閾値よりも大きく、第1の信号が1ビット左にシフトされるたびに、第2の受信電力は第1の受信電力に対して6dBだけ増加する。
【００６７】
例えば、第1の信号が1ビット左にシフトされるたびに、第2の受信電力は第1の受信電力に対して6dBだけ増加する。同様に、第1の信号が2ビット左にシフトされるたびに、第2の受信電力は第1の受信電力に対して12dBだけ増加し、以下同様である。第1の電力閾値が−30dBmであり、第1の受信電力が−35dBmであると仮定すると、第1の電力閾値と第1の受信電力との間の差は5dBmに等しい。差は6dBmの整数倍に切り上げられ、すなわち、差は6dBmに調整される必要がある。したがって、第2の受信電力は、第1の受信電力に対して6dBmだけ減少する必要があり、すなわち、第1の信号は、時間領域または周波数領域において1ビット右にシフトされる。
【００６８】
3．第1の受信電力が第2の電力閾値以下である場合、それは第1の受信電力が過度に小さいことを示し、BBUは、調整によって取得される第2の受信電力が第3の電力閾値よりも大きくなるように、第1の信号を調整して第1の受信電力に対する調整を実現する必要がある。この場合、第2の受信電力は、第1のRRUが第2の信号のサブキャリアを受信する電力である。BBUは、以下の方法で第1の信号を調整して第2の信号を取得する。
【００６９】
第1の信号の各サブキャリアの信号強度は、周波数分割方式で改善される。BBUは、第1の信号のサブキャリアを離隔させて第2の信号を取得し、第2の信号に対応する第2の受信電力は第3の電力閾値より大きく、第2の受信電力は、第1のRRUが第2の信号のサブキャリアを受信する電力である。
【００７０】
例えば、第1の信号の電力が雑音電力、例えば−97dBm@20MHz帯域幅（雑音電力は4dBの雑音係数を使用して計算される）と同等である場合、第1の受信電力が第2の電力閾値以下であるならば、第1の信号は増幅される必要がある。電力増幅器が損傷されることを防止するために、直交周波数分割多元接続（Orthogonal Frequency Division Multiple Access、OFDMA）シンボルにおいて総電力が変化しないことが依然として保証される必要がある。したがって、第1の信号の各サブキャリアの電力は、第1の信号のサブキャリアを離隔させることによってのみ改善されることが可能である。例えば、第1の信号のサブキャリアのシーケンス番号kは連続している。第1の信号のサブキャリアが2kの位置に置かれて第2の信号を取得するならば、第2の受信電力は第1の受信電力に対して3dBmだけ増加する。同様に、第1の信号のサブキャリアが4kの位置に置かれて第2の信号を取得するならば、第2の受信電力は第1の受信電力に対して6dBmだけ増加し、以下同様である。時間領域において、kはOFDMシンボルにおける時間領域サンプリング点のシーケンス番号を示し、周波数領域においてkは、OFDMシンボルにおけるサブキャリアのシーケンス番号を示す。
【００７１】
この実施形態では、第2のRRUが第1の信号を送信する電力が過度に大きいので、第1のRRUの受信チャネルが損傷されることを防止するために、第2のRRが初めて第1の信号を送信する電力Aは、以下の条件を満たす。
A＋x−PL＋x＜T
【００７２】
すなわち、A＜T＋PL−2＊xであり、
xはアンテナ利得を示し、Tは電力閾値を示し、この電力閾値を超えるとRRUの受信チャネルが損傷され、すなわち、第1のRRUが第1の信号を受信する受信電力がTより大きい場合、第1のRRUの受信チャネルが損傷され、PLは自由空間損失を示し、PL＝20lg（F）＋20lg（D）＋32.4であり、Fは周波数を示し、Fの単位はMHzであり、Dは第1のRRUと第2のRRUとの間の距離を示し、Dの単位はkmである。
【００７３】
第2のRRUの定格送信電力がPtであるならば、第2のRRUが初めて第1の信号を送信する前に、第1の信号を送信する電力は、少なくともDelta＿f＝Pt−（T＋PL−2＊x）だけ減少し得る。Delta＿fの単位はdBmである。第2のRRUは、本発明のこの実施形態で提供され、かつ第2のRRUが第1の信号を調整して第2の信号を取得する場合に使用される方法を使用して定格送信電力を低減させ、それにより第2のRRUが第1の信号を送信する電力が過度に大きいので第1のRRUの受信チャネルが損傷されることを防止する。
【００７４】
上述した実施形態では、送信信号が調整されて受信電力に対する調整を実現し、それにより受信電力は予め設定された条件を満たし、AGCによる制御が開始することを防止する。この場合、調整された信号は補正信号として使用されることが可能であり、補正信号はRRU間のトランシーバチャネル共同補正に使用される。
【００７５】
例えば、図1に示されたシナリオを参照して、図3に示されたように、本発明の実施形態で提供されるRRU間のトランシーバチャネル共同補正のプロセスは以下の通りである。
【００７６】
S301．第1のRRUおよび第2のRRUは、それぞれ、対応するトランシーバチャネルの補正を完了し、それぞれ、対応する補正係数を取得する。
【００７７】
第1のRRUの補正係数は、
【００７８】
【数１１】
2018530254.tif 000013
【００７９】
と
【００８０】
【数１２】
2018530254.tif 000014
【００８１】
とを含み、
【００８２】
【数１３】
2018530254.tif 000015
【００８３】
は第1のRRUのi番目の送信チャネルの補正係数を示し、
【００８４】
【数１４】
2018530254.tif 000016
【００８５】
は第1のRRUのi番目の受信チャネルの補正係数を示す。第2のRRUの補正係数は
【００８６】
【数１５】
2018530254.tif 000017
【００８７】
と
【００８８】
【数１６】
2018530254.tif 000018
【００８９】
とを含み、
【００９０】
【数１７】
2018530254.tif 000019
【００９１】
は第2のRRUのi番目の送信チャネルの補正係数を示し、
【００９２】
【数１８】
2018530254.tif 000020
【００９３】
は第2のRRUのi番目の受信チャネルの補正係数を示す。RRUの対応するトランシーバチャネルを補正するプロセスは従来技術に属し、詳細はここに記載されない。
【００９４】
S302．BBUは、第1のRRUの基準チャネルが信号受信状態にあるように制御し、BBUは、基準チャネルを使用して定格電力で第1のRRUに第1の信号を送信するように第2のRRUを制御する。
【００９５】
チャネル0が基準チャネルとして選択される。
【００９６】
S303．BBUは第1のRRUから第1の受信電力を取得し、第1の受信電力は、第1のRRUが第2のRRUによって送信された第1の信号を受信する電力である。
【００９７】
S304．BBUは、第1の受信電力を電力閾値と比較した結果が予め設定された条件を満たすかどうかを判定する。
【００９８】
第1の受信電力を電力閾値と比較した結果が予め設定された条件を満たさない場合、S305が実行される。具体的には、第1の受信電力が第1の電力閾値以上である場合にS305が実行されるか、または第1の受信電力が第2の電力閾値以下である場合にS305が実行される。
【００９９】
第1の受信電力を電力閾値と比較した結果が予め設定された条件を満たす場合、S306が実行される。具体的には、第1の受信電力が第1の電力閾値より小さく、かつ第1の受信電力が第2の電力閾値より大きい場合にS306が実行される。
【０１００】
S305．BBUは、第1の信号を調整して第2の信号を取得し、第2の信号にしたがって第2の受信電力を決定し、第2の信号を第2のRRUによって送信される補正信号として使用する。
【０１０１】
第2の受信電力は、第1のRRUが第2の信号を受信する電力であり、第2の受信電力を電力閾値と比較した結果は、予め設定された条件を満たす。具体的には、BBUが第1の信号を調整して第2の信号を取得し、第2の信号にしたがって第2の受信電力を決定する方法については、前述の実施形態の内容を参照されたく、詳細は再度ここに記載されない。
【０１０２】
S306．BBUは、第1の信号を第2のRRUによって送信される補正信号として使用する。
【０１０３】
S307．BBUは、第2のRRUによって送信された補正信号を、基準チャネルを使用して受信するように第1のRRUを制御し、この場合の第1のRRUのチャネル推定hc 1を計算する。
【０１０４】
第1のRRUのチャネル推定hc 1は
【０１０５】
【数１９】
2018530254.tif 000021
【０１０６】
と
【０１０７】
【数２０】
2018530254.tif 000022
【０１０８】
の積に等しく、
【０１０９】
【数２１】
2018530254.tif 000023
【０１１０】
は第1のRRUの受信チャネルのチャネル応答を示し、
【０１１１】
【数２２】
2018530254.tif 000024
【０１１２】
は第1のRRUの送信チャネルのチャネル応答を示す。
【０１１３】
第2のRRUのチャネル推定hc 2を取得するために、上記のステップが繰り返される。詳細は以下の通りである。
【０１１４】
S308．BBUは、第2のRRUの基準チャネルが信号受信状態にあるように制御し、BBUは、基準チャネルを使用して定格電力で第2のRRUに第1の信号を送信するように第1のRRUを制御する。
【０１１５】
S309．BBUは第2のRRUから第1の受信電力を取得し、第1の受信電力は、第2のRRUが第1のRRUによって送信された第1の信号を受信する電力である。
【０１１６】
S310．BBUは、（第2のRRUに対応する）第1の受信電力を電力閾値と比較した結果が予め設定された条件を満たすかどうかを判定する。
【０１１７】
第1の受信電力を電力閾値と比較した結果が予め設定された条件を満たさない場合、S311が実行される。具体的には、第1の受信電力が第1の電力閾値以上である場合にS311が実行されるか、または第1の受信電力が第2の電力閾値以下である場合にS311が実行される。
【０１１８】
第1の受信電力を電力閾値と比較した結果が予め設定された条件を満たす場合、S312が実行される。具体的には、第1の受信電力が第1の電力閾値より小さく、かつ第1の受信電力が第2の電力閾値より大きい場合にS312が実行される。
【０１１９】
S311．BBUは第1の信号を調整して第2の信号を取得し、第2の信号にしたがって第2の受信電力を決定し、第2の信号を第1のRRUによって送信される補正信号として使用する。
【０１２０】
第2の受信電力は、第2のRRUが第2の信号を受信する電力であり、第2の受信電力を電力閾値と比較した結果は、予め設定された条件を満たす。具体的には、BBUが第1の信号を調整して第2の信号を取得し、第2の信号にしたがって第2の受信電力を決定する方法については、前述の実施形態の内容を参照されたく、詳細は再度ここに記載されない。
【０１２１】
S312．BBUは、第1の信号を第1のRRUによって送信される補正信号として使用する。
【０１２２】
S313．BBUは、第1のRRUによって送信された補正信号を、基準チャネルを使用して受信するように第2のRRUを制御し、この場合の第2のRRUのチャネル推定hc 2を計算する。
【０１２３】
第2のRRUのチャネル推定hc 2は
【０１２４】
【数２３】
2018530254.tif 000025
【０１２５】
と
【０１２６】
【数２４】
2018530254.tif 000026
【０１２７】
の積に等しく、
【０１２８】
【数２５】
2018530254.tif 000027
【０１２９】
は第2のRRUの受信チャネルのチャネル応答を示し、
【０１３０】
【数２６】
2018530254.tif 000028
【０１３１】
は第2のRRUの送信チャネルのチャネル応答を示す。
【０１３２】
S314．BBUは、相互補正係数rc＝hc 1／hc 2を決定する。
【０１３３】
S315．BBUは相互補正係数rcを使用して第1のRRUの補正係数を更新し、第2のRRUの補正係数を不変に維持するか、あるいはBBUは相互補正係数rcを使用して第2のRRUの補正係数を更新し、第1のRRUの補正係数を不変に維持する。
【０１３４】
具体的には、第2のRRUの補正係数が不変に維持されるならば、第1のRRUのi番目の送信チャネルの更新された補正係数
【０１３５】
【数２７】
2018530254.tif 000029
【０１３６】
は、以下の式、
【０１３７】
【数２８】
2018530254.tif 000030
【０１３８】
を満たし、第1のRRUのi番目の受信チャネルの更新された補正係数
【０１３９】
【数２９】
2018530254.tif 000031
【０１４０】
は、以下の式
【０１４１】
【数３０】
2018530254.tif 000032
【０１４２】
を満たす。
【０１４３】
その代わりに、
第1のRRUの補正係数が不変に維持されるならば、第2のRRUのi番目の送信チャネルの更新された補正係数
【０１４４】
【数３１】
2018530254.tif 000033
【０１４５】
は、以下の式、
【０１４６】
【数３２】
2018530254.tif 000034
【０１４７】
を満たし、第2のRRUのi番目の受信チャネルの更新された補正係数
【０１４８】
【数３３】
2018530254.tif 000035
【０１４９】
は、以下の式
【０１５０】
【数３４】
2018530254.tif 000036
【０１５１】
を満たす。
【０１５２】
本発明のこの実施形態では、BBUは、第1のRRUから第1の受信電力を取得する。第1の受信電力は、第1のRRUが第2のRRUによって送信された第1の信号を受信する電力である。第1の受信電力を電力閾値と比較した結果が予め設定された条件を満たさない場合、BBUは第1の信号を調整して第2の信号を取得し、第2の信号にしたがって第2の受信電力を決定する。第2の受信電力は、第1のRRUが第2の信号を受信する電力であり、第2の受信電力を電力閾値と比較した結果は、予め設定された条件を満たす。BBUは、第2の信号を補正信号として使用し、補正信号は、第1のRRUと第2のRRUとの間のトランシーバチャネル共同補正を実行するために使用される。BBUによって送信信号を調整して取得される補正信号は予め設定された条件を満たし、それにより補正信号が過度に大きいのでAGCによる制御を開始するようにトリガすることによって引き起こされるチャネル応答の変化が回避されることが可能であり、補正信号を使用してRRU間のトランシーバチャネル共同補正が実現されることが可能である。したがって、本発明のこの実施形態で提供される技術的解決策では、RRU間のトランシーバチャネル共同補正は、AGCによる制御が開始しない場合、依然として実現されることが可能である。
【０１５３】
実施形態2
前述の実施形態に基づいて、本発明は、補正信号を決定するための装置をさらに提供する。装置は、図2に対応する実施形態で提供される方法を使用し得る。図4を参照すると、装置400は、トランシーバユニット401および処理ユニット402を含む。
【０１５４】
トランシーバユニット401は、第1の受信電力を取得するように構成され、第1の受信電力は、第1の無線遠隔ユニットRRUが第2のRRUによって送信された第1の信号を受信する電力である。
【０１５５】
処理ユニット402は、トランシーバユニット401によって決定された第1の受信電力を電力閾値と比較した結果が予め設定された条件を満たさない場合、第1の信号を調整して第2の信号を取得し、第2の信号にしたがって第2の受信電力を決定するように構成され、第2の受信電力は、第1のRRUが第2の信号を受信する電力であり、第2の受信電力を電力閾値と比較した結果が予め設定された条件を満たし、処理ユニット402は、第2の信号を補正信号として使用するように構成され、補正信号が第1のRRUと第2のRRUとの間のトランシーバチャネル共同補正を実行するために使用される。
【０１５６】
任意選択的に、第1の受信電力を電力閾値と比較した結果が予め設定された条件を満たさない場合、第1の信号を調整して第2の信号を取得するとき、処理ユニット402は、具体的には、
第1の受信電力が第1の電力閾値以上である場合、周波数領域において第1の信号S（k）に
【０１５７】
【数３５】
2018530254.tif 000037
【０１５８】
を掛けて第2の信号を取得するように構成され、第2の信号に対応する第2の受信電力が第1の電力閾値より小さく、kが第1の信号の周波数領域サブキャリアのシーケンス番号を示し、または、第1の受信電力が第1の電力閾値以上である場合、時間領域において第1の信号S（n）に
【０１５９】
【数３６】
2018530254.tif 000038
【０１６０】
を掛けて第2の信号を取得するように構成され、第2の信号に対応する第2の受信電力が第1の電力閾値より小さく、nが第1の信号の時間領域サンプリング点のシーケンス番号を示す。
【０１６１】
Deltaはデジタルの電力制御係数を示し、DeltaはDelta＝f（y−x）＋Aを満たし、f（）は天井関数を示し、yは第1の受信電力を示し、xは第1の電力閾値を示し、Aは定数である。
【０１６２】
任意選択的に、第1の受信電力を電力閾値と比較した結果が予め設定された条件を満たさない場合、第1の信号を調整して第2の信号を取得するとき、処理ユニット402は、具体的には、
第1の受信電力が第1の電力閾値以上である場合、第1の信号を時間領域または周波数領域において右にシフトさせて第2の信号を取得するように構成され、第2の信号に対応する第2の受信電力は第1の電力閾値より小さく、第1の信号が1ビット右にシフトされるたびに、第2の受信電力は第1の受信電力に対して6dBだけ減少する。
【０１６３】
任意選択的に、第1の電力閾値は、第1のRRUの入口アンテナ電力にしたがって設定される。
【０１６４】
任意選択的に、第1の受信電力を電力閾値と比較した結果が条件を満たさない場合、第1の信号を調整して第2の信号を取得するとき、処理ユニット402は、具体的には、
第1の受信電力が第2の電力閾値以下である場合、第1の信号のサブキャリアを離隔させて第2の信号を取得するように構成され、第2の信号に対応する第2の受信電力は第3の電力閾値より大きく、第2の受信電力は第1のRRUが第2の信号のサブキャリアを受信する電力である。
【０１６５】
任意選択的に、第1の受信電力を電力閾値と比較した結果が予め設定された条件を満たさない場合、第1の信号を調整して第2の信号を取得するとき、処理ユニット402は、具体的には、
第1の受信電力が第2の電力閾値以下である場合、第1の信号を時間領域または周波数領域において左にシフトさせて第2の信号を取得するように構成され、第2の信号に対応する第2の受信電力は第2の電力閾値より大きく、第1の信号が1ビット左にシフトされるたびに、第2の受信電力は第1の受信電力に対して6dBだけ増加する。
【０１６６】
任意選択的に、第2の電力閾値は、信号およびノイズ電力にしたがって設定される。
【０１６７】
本発明の実施形態において、ユニットの区分は一例であり、単に論理的な機能区分であり、実際の実装では他の区分であり得ることが留意されるべきである。加えて、この出願の実施形態における機能ユニットは、1つの処理ユニットに統合されてもよく、またはユニットの各々は物理的に単独で存在してもよく、または2つ以上のユニットが1つのユニットに統合されてもよい。統合されたユニットは、ハードウェアの形式で実装されてもよく、またはソフトウェア機能ユニットの形式で実装されてもよい。
【０１６８】
統合されたユニットがソフトウェア機能ユニットの形式で実装され、独立した製品として販売または使用される場合、統合されたユニットはコンピュータ読み取り可能な記憶媒体に記憶され得る。そのような理解に基づいて、本質的にこの出願の技術的解決策、または先行技術に寄与する部分、または技術的解決策のすべてあるいはいくつかは、ソフトウェア製品の形式で実装され得る。コンピュータソフトウェア製品は記憶媒体に記憶され、（パーソナルコンピュータ、サーバ、またはネットワークデバイスであり得る）コンピュータデバイスまたはプロセッサ（processor）に、この出願の実施形態に記載された方法のステップのすべてあるいはいくつかを実行させるように命令するいくつかの命令を含む。上記の記憶媒体は、USBフラッシュドライブ、リムーバブルハードディスク、リードオンリーメモリ（ROM、Read-Only Memory）、ランダムアクセスメモリ（RAM、Random Access Memory）、磁気ディスク、または光ディスクのような、プログラムコードを記憶できるあらゆる媒体を含む。
【０１６９】
前述の実施形態に基づいて、本発明は、補正信号を決定するための装置をさらに提供する。装置は、図2に対応する実施形態で提供される方法を使用することが可能であり、図4に示された装置と同じデバイスであり得る。図5を参照すると、装置500は、トランシーバ501、プロセッサ502、バス503、およびメモリ504を含む。
【０１７０】
トランシーバ501、プロセッサ502、およびメモリ504は、バス503を使用して相互接続される。バス503は、周辺機器相互接続（peripheral component interconnect、略してPCI）バス、拡張業界標準アーキテクチャ（extended industry standard architecture、略してEISA）バスなどであり得る。バスは、アドレスバス、データバス、制御バス等に分類され得る。表現を容易にするために、バス503は、図5において1本のみの太線を使用して表されているが、1つのバスまたは1種類のバスのみがあることを示さない。
【０１７１】
トランシーバ501は、第1の受信電力を取得するように構成され、第1の受信電力は、第1の無線遠隔ユニットRRUが第2のRRUによって送信された第1の信号を受信する電力である。
【０１７２】
プロセッサ502は、トランシーバ501によって決定された第1の受信電力を電力閾値と比較した結果が予め設定された条件を満たさない場合、第1の信号を調整して第2の信号を取得し、第2の信号にしたがって第2の受信電力を決定するように構成され、第2の受信電力は、第1のRRUが第2の信号を受信する電力であり、第2の受信電力を電力閾値と比較した結果が予め設定された条件を満たし、プロセッサ502は、第2の信号を補正信号として使用するように構成され、補正信号が第1のRRUと第2のRRUとの間のトランシーバチャネル共同補正を実行するために使用される。
【０１７３】
任意選択的に、第1の受信電力を電力閾値と比較した結果が予め設定された条件を満たさない場合、第1の信号を調整して第2の信号を取得するとき、プロセッサ502は、具体的には、
第1の受信電力が第1の電力閾値以上である場合、周波数領域において第1の信号S（k）に
【０１７４】
【数３７】
2018530254.tif 000039
【０１７５】
を掛けて第2の信号を取得するように構成され、第2の信号に対応する第2の受信電力が第1の電力閾値より小さく、kが第1の信号の周波数領域サブキャリアのシーケンス番号を示し、または、第1の受信電力が第1の電力閾値以上である場合、時間領域において第1の信号S（n）に
【０１７６】
【数３８】
2018530254.tif 000040
【０１７７】
を掛けて第2の信号を取得するように構成され、第2の信号に対応する第2の受信電力が第1の電力閾値より小さく、nが第1の信号の時間領域サンプリング点のシーケンス番号を示す。
【０１７８】
Deltaはデジタルの電力制御係数を示し、DeltaはDelta＝f（y−x）＋Aを満たし、f（）は天井関数を示し、yは第1の受信電力を示し、xは第1の電力閾値を示し、Aは定数である。
【０１７９】
任意選択的に、第1の受信電力を電力閾値と比較した結果が予め設定された条件を満たさない場合、第1の信号を調整して第2の信号を取得するとき、プロセッサ502は、具体的には、
第1の受信電力が第1の電力閾値以上である場合、第1の信号を時間領域または周波数領域において右にシフトさせて第2の信号を取得するように構成され、第2の信号に対応する第2の受信電力は第1の電力閾値より小さく、第1の信号が1ビット右にシフトされるたびに、第2の受信電力は第1の受信電力に対して6dBだけ減少する。
【０１８０】
任意選択的に、第1の電力閾値は、第1のRRUの入口アンテナ電力にしたがって設定される。
【０１８１】
任意選択的に、第1の受信電力を電力閾値と比較した結果が条件を満たさない場合、第1の信号を調整して第2の信号を取得するとき、プロセッサ502は、具体的には、
第1の受信電力が第2の電力閾値以下である場合、第1の信号のサブキャリアを離隔させて第2の信号を取得するように構成され、第2の信号に対応する第2の受信電力は第3の電力閾値より大きく、第2の受信電力は第1のRRUが第2の信号のサブキャリアを受信する電力である。
【０１８２】
任意選択的に、第1の受信電力を電力閾値と比較した結果が予め設定された条件を満たさない場合、第1の信号を調整して第2の信号を取得するとき、プロセッサ502は、具体的には、
第1の受信電力が第2の電力閾値以下である場合、第1の信号を時間領域または周波数領域において左にシフトさせて第2の信号を取得するように構成され、第2の信号に対応する第2の受信電力は第2の電力閾値より大きく、第1の信号が1ビット左にシフトされるたびに、第2の受信電力は第1の受信電力に対して6dBだけ増加する。
【０１８３】
任意選択的に、第2の電力閾値は、信号およびノイズ電力にしたがって設定される。
【０１８４】
装置500は、プログラムなどを記憶するように構成されたメモリ504をさらに含む。具体的には、プログラムはプログラムコードを含むことが可能であり、プログラムコードはコンピュータ動作命令を含む。メモリ504は、ランダムアクセスメモリ（random access memory、RAM）を含むことが可能であり、不揮発性メモリ（non-volatile memory）、例えば、少なくとも1つの磁気ディスクストレージなどをさらに含むことが可能である。プロセッサ502は、メモリ504に記憶されたアプリケーションプログラムを実行して、補正信号を決定する前述の方法を実現する。
【０１８５】
この技術分野の当業者は、本発明の実施形態が、方法、システム、またはコンピュータプログラム製品として提供され得ることを理解すべきである。したがって、本発明は、ハードウェアのみの実施形態、ソフトウェアのみの実施形態、またはソフトウェアとハードウェアの組み合わせを有する実施形態の形式を使用することができる。さらに、本発明は、コンピュータ使用可能なプログラムコードを含む（ディスクメモリ、CD-ROM、光メモリなどを含むがこれに限定されない）1つ以上のコンピュータ使用可能記憶媒体上に実現されるコンピュータプログラム製品の形式を使用し得る。
【０１８６】
本発明は、本発明の実施形態による方法、デバイス（システム）、およびコンピュータプログラム製品のフローチャートおよび／またはブロック図を参照して記載される。コンピュータプログラム命令が使用されて、フローチャートおよび／またはブロック図における各プロセスおよび／または各ブロック、ならびにフローチャートおよび／またはブロック図におけるプロセスおよび／またはブロックの組み合わせを実現し得ることが理解されるべきである。これらのコンピュータプログラム命令は、汎用コンピュータ、専用コンピュータ、組み込みプロセッサ、または任意の他のプログラム可能なデータ処理デバイスのプロセッサに提供されて機械を生成することが可能であり、それによりコンピュータまたは任意の他のプログラム可能なデータ処理デバイスのプロセッサによって実行される命令は、フローチャートにおける1つ以上のプロセスおよび／またはブロック図における1つ以上のブロックの特定の機能を実現するための装置を生成する。
【０１８７】
これらのコンピュータプログラム命令は、コンピュータ読み取り可能なメモリに格納されることが可能であり、コンピュータまたは任意の他のプログラム可能なデータ処理装置に特定の形態で動作するように命令することができ、それによりコンピュータ読み取り可能なメモリに格納された命令は、命令装置を含む人工物を生成する。命令装置は、フローチャートにおける1つ以上のプロセスおよび／またはブロック図における1つ以上のブロックの特定の機能を実現する。
【０１８８】
これらのコンピュータプログラム命令は、コンピュータまたは別のプログラム可能なデータ処理装置にロードされることが可能であり、それによりコンピュータまたは別のプログラム可能なデバイス上で一連の動作およびステップが実行され、それによってコンピュータに実装された処理を生成する。したがって、コンピュータまたは別のプログラム可能なデバイス上で実行される命令は、フローチャートにおける1つ以上のプロセスおよび／またはブロック図における1つ以上のブロックの特定の機能を実現するステップを提供する。
【０１８９】
本発明のいくつかの好ましい実施形態が記載されたが、この技術分野の当業者は、一旦基本的な発明概念を習得すると、これらの実施形態に変更および修正を行うことができる。したがって、添付の特許請求の範囲は、好ましい実施形態および本発明の範囲内にあるすべての変更および修正を包含するように解釈されることが意図される。
【０１９０】
明らかに、この技術分野の当業者は、本発明の実施形態の範囲から逸脱することなく、本発明の実施形態に対して様々な修正および変形を行うことができる。本発明は、添付の特許請求の範囲およびそれらと等価な技術によって規定される保護範囲内にあるという条件で、これらの修正および変形を包含するように意図される。
【符号の説明】
【０１９１】
400  装置
401  トランシーバユニット
402  処理ユニット
500  装置
501  トランシーバ
502  プロセッサ
503  バス
504  メモリ
【図１】
2018530254.tif 000045
【図２】
2018530254.tif 000046
【図３】
2018530254.tif 000047
【図４】
2018530254.tif 000048
【図５】
2018530254.tif 000049
【手続補正書】
【提出日】平成30年5月9日(2018.5.9)
【手続補正１】
【補正対象書類名】明細書
【補正対象項目名】０００３
【補正方法】変更
【補正の内容】
【０００３】
ビームフォーミング（beamforming、BF）技術では、信号送信端で重み付けが実行され、信号受信端でアレイ利得が得られ、それにより、ユーザの信号対干渉雑音比（Signal to Interference plus Noise Ratio、SINR）が増加される。BF技術は、送信信号が一貫した遅延および一貫した位相でアンテナポートに到達することを保証する必要がある。しかし、トランシーバチャネルの中間周波数部分の先入れ先出し（First In First Out、FIFO）メモリにおいてジッタが発生し、無線周波数アナログ成分の応答は一貫性がないので、時間領域チャネル補償または周波数領域チャネル補償が実行されない場合、送信信号が一貫した遅延および一貫した位相でアンテナポートに到達することが保証されることが可能でない。したがって、トランシーバチャネルは、トランシーバチャネル間のチャネル応答差が時間領域および周波数領域において補償されてBFアレイ利得が得られるように、補正される必要がある。
【手続補正２】
【補正対象書類名】明細書
【補正対象項目名】００１５
【補正方法】変更
【補正の内容】
【００１５】
第1の態様を参照して、第4の可能な実装では、第1の受信電力を電力閾値と比較した結果が予め設定された条件を満たさない場合、BBUによって、第1の信号を調整して第2の信号を取得することは、
第1の受信電力が第2の電力閾値以下である場合、BBUによって、第1の信号のサブキャリアを離隔させて第2の信号を取得するステップであって、第2の信号に対応する第2の受信電力が第3の電力閾値より大きく、第2の受信電力は、第1のRRUが第2の信号のサブキャリアを受信する電力である、ステップ
を含む。
【手続補正３】
【補正対象書類名】明細書
【補正対象項目名】００２７
【補正方法】変更
【補正の内容】
【００２７】
第2の態様を参照して、第4の可能な実装では、第1の受信電力を電力閾値と比較した結果が予め設定された条件を満たさない場合、第1の信号を調整して第2の信号を取得するとき、処理ユニットは、具体的には、
第1の受信電力が第2の電力閾値以下である場合、第1の信号のサブキャリアを離隔させて第2の信号を取得するように構成され、第2の信号に対応する第2の受信電力は第3の電力閾値より大きく、第2の受信電力は第1のRRUが第2の信号のサブキャリアを受信する電力である。
【手続補正４】
【補正対象書類名】明細書
【補正対象項目名】００３４
【補正方法】変更
【補正の内容】
【００３４】
本発明の実施形態で提供される技術的解決策は、RRU間のトランシーバチャネル共同補正の技術に関する。RRU間のトランシーバチャネル共同補正の技術では、BFアレイ利得を得るために、RRUのトランシーバチャネル間のチャネル応答差が時間領域および周波数領域において補償されることが可能である。分散型基地局デバイスは、主に、ベースバンドユニット（baseband unit、BBU）とRRUとの2つの部分に区分される。BBUおよびRRUの技術的特徴は、基地局は、マスターユニット、すなわち無線ベースバンド制御（Radio Server）および遠隔ユニット、すなわち無線遠隔ユニット（RRU）の2つの部分に区分され、1つのBBUは複数のRRUをサポートでき、通常BBUおよびRRUはファイバを使用して相互に接続され、BBUとRRUとの間のインターフェースはオープンである。
【手続補正５】
【補正対象書類名】明細書
【補正対象項目名】００７１
【補正方法】変更
【補正の内容】
【００７１】
この実施形態では、第2のRRUが第1の信号を送信する電力が過度に大きいので、第1のRRUの受信チャネルが損傷されることを防止するために、第2のRRUが初めて第1の信号を送信する電力Aは、以下の条件を満たす。
A＋x−PL＋x＜T
【手続補正６】
【補正対象書類名】明細書
【補正対象項目名】０１６４
【補正方法】変更
【補正の内容】
【０１６４】
任意選択的に、第1の受信電力を電力閾値と比較した結果が予め設定された条件を満たさない場合、第1の信号を調整して第2の信号を取得するとき、処理ユニット402は、具体的には、
第1の受信電力が第2の電力閾値以下である場合、第1の信号のサブキャリアを離隔させて第2の信号を取得するように構成され、第2の信号に対応する第2の受信電力は第3の電力閾値より大きく、第2の受信電力は第1のRRUが第2の信号のサブキャリアを受信する電力である。
【手続補正７】
【補正対象書類名】明細書
【補正対象項目名】０１７０
【補正方法】変更
【補正の内容】
【０１７０】
トランシーバ501、プロセッサ502、およびメモリ504は、バス503を使用して相互接続される。バス503は、周辺機器相互接続（peripheral component interconnect、PCI）バス、拡張業界標準アーキテクチャ（extended industry standard architecture、EISA）バスなどであり得る。バスは、アドレスバス、データバス、制御バス等に分類され得る。表現を容易にするために、バス503は、図5において1本のみの太線を使用して表されているが、1つのバスまたは1種類のバスのみがあることを示さない。
【手続補正８】
【補正対象書類名】明細書
【補正対象項目名】０１８１
【補正方法】変更
【補正の内容】
【０１８１】
任意選択的に、第1の受信電力を電力閾値と比較した結果が予め設定された条件を満たさない場合、第1の信号を調整して第2の信号を取得するとき、プロセッサ502は、具体的には、
第1の受信電力が第2の電力閾値以下である場合、第1の信号のサブキャリアを離隔させて第2の信号を取得するように構成され、第2の信号に対応する第2の受信電力は第3の電力閾値より大きく、第2の受信電力は第1のRRUが第2の信号のサブキャリアを受信する電力である。
【手続補正９】
【補正対象書類名】明細書
【補正対象項目名】０１８４
【補正方法】変更
【補正の内容】
【０１８４】
メモリ504は、プログラムなどを記憶するように構成される。具体的には、プログラムはプログラムコードを含むことが可能であり、プログラムコードはコンピュータ動作命令を含む。メモリ504は、ランダムアクセスメモリ（random access memory、RAM）を含むことが可能であり、不揮発性メモリ（non-volatile memory）、例えば、少なくとも1つの磁気ディスクストレージなどをさらに含むことが可能である。プロセッサ502は、メモリ504に記憶されたアプリケーションプログラムを実行して、補正信号を決定する前述の方法を実現する。
【手続補正１０】
【補正対象書類名】明細書
【補正対象項目名】０１８９
【補正方法】変更
【補正の内容】
【０１８９】
本発明のいくつかの実施形態が記載されたが、この技術分野の当業者は、一旦基本的な発明概念を習得すると、これらの実施形態に変更および修正を行うことができる。したがって、添付の特許請求の範囲は、実施形態および本発明の範囲内にあるすべての変更および修正を包含するように解釈されることが意図される。
【手続補正１１】
【補正対象書類名】特許請求の範囲
【補正対象項目名】全文
【補正方法】変更
【補正の内容】
【特許請求の範囲】
【請求項１】
補正信号を決定する方法であって、
ベースバンドユニット（BBU）によって第1の無線遠隔ユニット（RRU）から第1の受信電力を取得するステップであって、前記第1の受信電力は、前記第1のRRUが第2のRRUによって送信された第1の信号を受信する電力である、ステップと、
前記第1の受信電力を電力閾値と比較した結果が予め設定された条件を満たさない場合、前記BBUによって、前記第1の信号を調整して第2の信号を取得し、前記第2の信号にしたがって第2の受信電力を決定するステップであって、前記第2の受信電力は、前記第1のRRUが前記第2の信号を受信する電力であり、前記第2の受信電力を前記電力閾値と比較した結果が前記予め設定された条件を満たす、ステップと、
前記BBUによって前記第2の信号を補正信号として使用するステップであって、前記補正信号が前記第1のRRUと前記第2のRRUとの間のトランシーバチャネル共同補正を実行するために使用される、ステップと、
を含む方法。
【請求項２】
前記第1の受信電力を電力閾値と比較した結果が予め設定された条件を満たさない場合、前記BBUによって、前記第1の信号を調整して第2の信号を取得することは、
前記第1の受信電力が第1の電力閾値以上である場合、前記BBUによって、周波数領域において前記第1の信号S（k）に
【数１】
2018530254.tif 000050
を掛けて前記第2の信号を取得するステップであって、前記第2の信号に対応する第2の受信電力が前記第1の電力閾値より小さく、kが前記第1の信号の周波数領域サブキャリアのシーケンス番号を示す、ステップ、または、前記第1の受信電力が第1の電力閾値以上である場合、前記BBUによって、時間領域において前記第1の信号S（n）に
【数２】
2018530254.tif 000051
を掛けて前記第2の信号を取得するステップであって、前記第2の信号に対応する第2の受信電力が前記第1の電力閾値より小さく、nが前記第1の信号の時間領域サンプリング点のシーケンス番号を示す、ステップ
を含み、
Deltaはデジタルの電力制御係数を示し、DeltaはDelta＝f（y−x）＋Aを満たし、f（）は天井関数を示し、yは前記第1の受信電力を示し、xは前記第1の電力閾値を示し、Aは定数である、請求項1に記載の方法。
【請求項３】
前記第1の受信電力を電力閾値と比較した結果が予め設定された条件を満たさない場合、前記BBUによって、前記第1の信号を調整して第2の信号を取得することは、
前記第1の受信電力が第1の電力閾値以上である場合、前記BBUによって、前記第1の信号を時間領域または周波数領域において右にシフトさせて前記第2の信号を取得するステップであって、前記第2の信号に対応する第2の受信電力が前記第1の電力閾値より小さく、前記第1の信号が1ビット右にシフトされるたびに、前記第2の受信電力が前記第1の受信電力に対して6dBだけ減少する、ステップ
を含む、請求項1に記載の方法。
【請求項４】
前記第1の電力閾値が前記第1のRRUの入口アンテナ電力にしたがって設定される、請求項2または3に記載の方法。
【請求項５】
前記第1の受信電力を電力閾値と比較した結果が予め設定された条件を満たさない場合、前記BBUによって、前記第1の信号を調整して第2の信号を取得することは、
前記第1の受信電力が第2の電力閾値以下である場合、前記BBUによって、前記第1の信号のサブキャリアを離隔させて前記第2の信号を取得するステップであって、前記第2の信号に対応する第2の受信電力は第3の電力閾値より大きく、前記第2の受信電力は、前記第1のRRUが前記第2の信号のサブキャリアを受信する電力である、ステップ
を含む、請求項1に記載の方法。
【請求項６】
前記第1の受信電力を電力閾値と比較した結果が予め設定された条件を満たさない場合、前記BBUによって、前記第1の信号を調整して第2の信号を取得することは、
前記第1の受信電力が第2の電力閾値以下である場合、前記BBUによって、前記第1の信号を時間領域または周波数領域において左にシフトさせて前記第2の信号を取得するステップであって、前記第2の信号に対応する第2の受信電力が前記第2の電力閾値より大きく、前記第1の信号が1ビット左にシフトされるたびに、前記第2の受信電力が前記第1の受信電力に対して6dBだけ増加する、ステップ
を含む、請求項1に記載の方法。
【請求項７】
前記第2の電力閾値が信号およびノイズ電力にしたがって設定される、請求項6に記載の方法。
【請求項８】
補正信号を決定する装置であって、
第1の受信電力を取得するように構成されたトランシーバユニットであって、前記第1の受信電力は、第1の無線遠隔ユニット（RRU）が第2のRRUによって送信された第1の信号を受信する電力である、トランシーバユニットと、
前記トランシーバユニットによって決定された第1の受信電力を電力閾値と比較した結果が予め設定された条件を満たさない場合、前記第1の信号を調整して第2の信号を取得し、前記第2の信号にしたがって第2の受信電力を決定するように構成された処理ユニットであって、前記第2の受信電力は、前記第1のRRUが前記第2の信号を受信する電力であり、前記第2の受信電力を前記電力閾値と比較した結果が前記予め設定された条件を満たし、前記処理ユニットが、前記第2の信号を補正信号として使用するように構成され、前記補正信号が前記第1のRRUと前記第2のRRUとの間のトランシーバチャネル共同補正を実行するために使用される、処理ユニットと、
を含む、装置。
【請求項９】
前記第1の受信電力を電力閾値と比較した結果が予め設定された条件を満たさない場合、前記第1の信号を調整して第2の信号を取得するとき、前記処理ユニットは、
前記第1の受信電力が第1の電力閾値以上である場合、周波数領域において前記第1の信号S（k）に
【数３】
2018530254.tif 000052
を掛けて前記第2の信号を取得するように構成され、前記第2の信号に対応する第2の受信電力が前記第1の電力閾値より小さく、kが前記第1の信号の周波数領域サブキャリアのシーケンス番号を示し、または、前記第1の受信電力が第1の電力閾値以上である場合、時間領域において前記第1の信号S（n）に
【数４】
2018530254.tif 000053
を掛けて前記第2の信号を取得するように構成され、前記第2の信号に対応する第2の受信電力が前記第1の電力閾値より小さく、nが前記第1の信号の時間領域サンプリング点のシーケンス番号を示し、
Deltaはデジタルの電力制御係数を示し、DeltaはDelta＝f（y−x）＋Aを満たし、f（）は天井関数を示し、yは前記第1の受信電力を示し、xは前記第1の電力閾値を示し、Aは定数である、
請求項8に記載の装置。
【請求項１０】
前記第1の受信電力を電力閾値と比較した結果が予め設定された条件を満たさない場合、前記第1の信号を調整して第2の信号を取得するとき、前記処理ユニットは、
前記第1の受信電力が第1の電力閾値以上である場合、前記第1の信号を時間領域または周波数領域において右にシフトさせて前記第2の信号を取得するように構成され、前記第2の信号に対応する第2の受信電力が前記第1の電力閾値より小さく、前記第1の信号が1ビット右にシフトされるたびに、前記第2の受信電力が前記第1の受信電力に対して6dBだけ減少する、請求項8に記載の装置。
【請求項１１】
前記第1の電力閾値が前記第1のRRUの入口アンテナ電力にしたがって設定される、請求項9または10に記載の装置。
【請求項１２】
前記第1の受信電力を電力閾値と比較した結果が予め設定された条件を満たさない場合、前記第1の信号を調整して第2の信号を取得するとき、前記処理ユニットは、
前記第1の受信電力が第2の電力閾値以下である場合、前記第1の信号のサブキャリアを離隔させて前記第2の信号を取得するように構成され、前記第2の信号に対応する第2の受信電力は第3の電力閾値より大きく、前記第2の受信電力は、前記第1のRRUが前記第2の信号のサブキャリアを受信する電力である、請求項8に記載の装置。
【請求項１３】
前記第1の受信電力を電力閾値と比較した結果が予め設定された条件を満たさない場合、前記第1の信号を調整して第2の信号を取得するとき、前記処理ユニットは、
前記第1の受信電力が第2の電力閾値以下である場合、前記第1の信号を時間領域または周波数領域において左にシフトさせて前記第2の信号を取得するように構成され、前記第2の信号に対応する第2の受信電力が前記第2の電力閾値より大きく、前記第1の信号が1ビット左にシフトされるたびに、前記第2の受信電力が前記第1の受信電力に対して6dBだけ増加する、請求項8に記載の装置。
【請求項１４】
前記第2の電力閾値が信号およびノイズ電力にしたがって設定される、請求項13に記載の装置。
【国際調査報告】
2018530254.tif 000054
2018530254.tif 000055
2018530254.tif 000056
2018530254.tif 000057